(57)【要約】      （修正有）【課題】イオン源の感度低下を可及的速やかに判定できる四重極型質量分析計を提供する。【解決手段】試験体内のガス成分を分析する四重極型質量分析計ＭＡは、フィラメント４１及びグリッド４３を有してガスをイオン化するイオン源４と、４本の柱状電極３１を周方向に所定間隔で配置してなる四重極部３と、四重極部３を通過させた所定質量数のガスイオンを捕集する第１イオンコレクタ２と、イオン源４で生成されたガスイオンを捕集する第２イオンコレクタ６とを備え、第１イオンコレクタ２を流れる第１イオン電流値から試験体内の所定質量数のガス分圧を測定すると共に、第２イオンコレクタ６を流れる第２イオン電流値から試験体内の全圧を測定するように構成し、ガス分析に影響のない所定範囲内の感度を基準感度とし、第２イオン電流値に対する第１イオン電流値の比が基準感度を基に設定される判定値と同等以下になると、感度低下と判定する判定手段を備える。【選択図】図１
2019032964.tif 000002
【特許請求の範囲】
【請求項１】
試験体内のガス成分を分析する四重極型質量分析計であって、
フィラメント及びグリッドを有してガスをイオン化するイオン源と、４本の柱状電極を周方向に所定間隔で配置してなる四重極部と、四重極部を通過させた所定質量数のガスイオンを捕集する第１イオンコレクタと、イオン源で生成されたガスイオンを捕集する第２イオンコレクタとを備え、第１イオンコレクタを流れる第１イオン電流値から試験体内の所定質量数のガス分圧を測定すると共に、第２イオンコレクタを流れる第２イオン電流値から試験体内の全圧を測定するように構成したものにおいて、
ガス成分の分析に影響のない所定範囲内の感度を基準感度とし、第２イオン電流値に対する第１イオン電流値の比が基準感度を基に設定される判定値と同等以下になると、感度低下と判定する判定手段を備えることを特徴とする四重極型質量分析計。
【請求項２】
前記第１イオン電流値として、四重極部を通過させた所定質量数のガスイオンの中で第１イオン電流値が最大となるものを選択することを特徴とする請求項１記載の四重極型質量分析計。
【請求項３】
前記第１イオン電流値として、四重極部を通過させた所定質量数のガスイオンの総和を用いることを特徴とする請求項１記載の四重極型質量分析計。
【請求項４】
試験体内のガスをイオン源でイオン化し、四重極部を通過させた所定質量数のガスイオンを第１イオンコレクタで捕集し、このときイオンコレクタを流れる第１イオン電流値からガス分圧を測定する四重極型質量分析計にてイオン源の感度低下を判定するための判定方法において、
第２イオンコレクタにより試験体内でイオン化されたガスを捕集する工程と、
ガス成分の分析に影響のない所定範囲内の感度を基準感度とし、第２イオンコレクタを流れる第２イオン電流値に対する第１イオン電流値の比が基準感度より小さい判定値と比較し、同等以下になると、感度低下したと判定する工程とを含むことを特徴とする判定方法。
【発明の詳細な説明】
【技術分野】
【０００１】
本発明は、試験体内のガス成分を分析する四重極型質量分析計及びその感度低下を判定するための判定方法に関する。
【背景技術】
【０００２】
スパッタリングや蒸着による成膜処理等の真空処理装置内で行われる真空処理においては、処理時の圧力だけでなく、真空チャンバ（試験体）内に残留する気体の成分（残留ガス成分）が膜質等に大きな影響を与える場合がある。このような残留ガス成分を分析するために、四重極型質量分析計が従来から使用されている。
【０００３】
この種の四重極型質量分析計は例えば特許文献１で知られている。このものは、フィラメント及びグリッドを有してガスをイオン化するイオン源と、４本の柱状電極を周方向に所定間隔で配置してなる四重極部と、四重極部を通過させた所定質量数のガスイオンを捕集する第１イオンコレクタとを備え、第１イオンコレクタを流れる第１イオン電流値から試験体内の所定質量数のガス分圧を測定できる。また、このものでは、イオン源で生成されたガスのイオンを捕集する第２イオンコレクタを更に備え、第２イオンコレクタを流れる第２イオン電流値から試験体内の全圧をも測定できるようになっている。
【０００４】
ここで、上記四重極型質量分析計を用いて試験体内に残留するガス成分の分析を行っていると、試験体内の分子や原子がグリッドに付着して汚染され、この汚染に起因して感度が低下し、これに起因して、測定しようとする所定質量数のガス分圧の指示値が次第に小さくなることが知られている。このように指示値が小さくなった状態で残留するガス成分の分析を継続すると、試験体に真空リークが発生したような場合には、これを検出できない場合があり、試験体内で行われている真空処理に多大な影響を与えることになる。
【０００５】
そこで、定期的に所定のガス成分を含有する校正ガスを試験体内に導入し、校正ガス成分を測定することで感度低下を判定することが従来から行われている（例えば、特許文献２参照）。然し、これでは、試験体内で行われている真空処理を一旦中断する必要があるため、量産性が損なわれるばかりか、校正ガス設備等が必要となってコスト高を招来するという問題がある。
【先行技術文献】
【特許文献】
【０００６】
【特許文献１】特許第５６６９３２４号公報
【特許文献２】特開平９−５５１８５号公報
【発明の概要】
【発明が解決しようとする課題】
【０００７】
本発明は、以上の点に鑑み、感度低下を可及的速やかに判定できる四重極型質量分析計及びその感度低下の判定方法を提供することをその課題とするものである。
【課題を解決するための手段】
【０００８】
上記課題を解決するために、試験体内のガス成分を分析する四重極型質量分析計は、フィラメント及びグリッドを有してガスをイオン化するイオン源と、４本の柱状電極を周方向に所定間隔で配置してなる四重極部と、四重極部を通過させた所定質量数のガスイオンを捕集する第１イオンコレクタと、イオン源で生成されたガスイオンを捕集する第２イオンコレクタとを備え、第１イオンコレクタを流れる第１イオン電流値から試験体内の所定質量数のガス分圧を測定すると共に、第２イオンコレクタを流れる第２イオン電流値から試験体内の全圧を測定するように構成し、ガス成分の分析に影響のない所定範囲内の感度を基準感度とし、第２イオン電流値に対する第１イオン電流値の比が基準感度を基に設定される判定値と同等以下になると、感度低下と判定する判定手段を備えることを特徴とする。
【０００９】
ここで、所定質量数のガス分圧と全圧との両方を測定できる四重極型質量分析計においては、試験体内の分子や原子がグリッドに付着して汚染され、この汚染に起因して感度が低下してくると、全圧の指示値と比較して所定質量数のガス分圧の指示値の方がより早く小さくなる。このことに着目して、本発明では、第２イオン電流値に対する第１イオン電流値の比を求め、これと基準感度を基に設定される判定値（例えば、基準感度に、実験的または経験的に求められる係数を乗じたもの）とを比較することで感度低下したか否かを判定することができる。このように本発明では、四重極型質量分析計を用いて試験体内の所定質量数のガス分圧や全圧を測定するために常時測定している第１イオン電流値と第２イオン電流値との変化から感度低下を判定できるため、試験体内で行われている真空処理を一旦中断する必要はなく、しかも、上記従来例で使用されていた校正ガス設備等を必要とせずに、感度低下を可及的速やかに判定できる。
【００１０】
本発明においては、前記第１イオン電流値として、四重極部を通過させた所定質量数のガスイオンの中で第１イオン電流値が最大となるものを選択するようにすれば、確実に感度低下を可及的速やかに判定できる。他方、前記第１イオン電流値として、四重極部を通過させた所定質量数のガスイオンの総和を用いれば、判定時の試験体内の真空雰囲気がその全圧と分圧とが同等であるような場合でも、正確に判定でき、有利である。
【００１１】
また、上記課題を解決するために、試験体内のガスをイオン源でイオン化し、四重極部を通過させた所定質量数のガスイオンを第１イオンコレクタで捕集し、このときイオンコレクタを流れる第１イオン電流値からガス分圧を測定する四重極型質量分析計にてイオン源の感度低下を判定するための判定方法は、第２イオンコレクタにより試験体内でイオン化されたガスを捕集する工程と、ガス成分の分析に影響のない所定範囲内の感度を基準感度とし、第２イオンコレクタを流れる第２イオン電流値に対する第１イオン電流値の比が基準感度より小さい判定値と比較し、同等以下になると、感度低下したと判定する工程とを含むことを特徴とする。
【図面の簡単な説明】
【００１２】
【図１】本発明の実施形態の四重極型質量分析計のセンサ部と制御ユニットとの接続を説明する側面図。
【図２】本実施形態の四重極型質量分析計で測定したイオン電流値及び全圧の変化を示す図。
【図３】四重極型質量分析計の感度低下の判定方法を示すフローチャート。
【発明を実施するための形態】
【００１３】
以下、図面を参照して、本発明の実施形態の四重極型質量分析計ＭＡを説明する。なお、以下においては、図示省略の試験体に対する後述のセンサ部Ｓの装着方向を上方として説明する。
【００１４】
図１を参照して、四重極型質量分析計ＭＡは、センサ部Ｓと制御ユニットＣとから構成される。センサ部Ｓは円板状の支持体１を有する。支持体１は、アルミニウムやステンレス等の金属製であり、その上面外周縁部にはＯリング１１が設けられている。支持体１上には第１イオンコレクタ２が設けられている。第１イオンコレクタ２は、後述の四重極部３の各電極を通過させて到達する所定質量数のガス原子やガス分子のイオンを捕集するファラデーカップから構成されている。第１イオンコレクタ２は、支持体１に立設した接続端子２１に配線接続されている。
【００１５】
第１イオンコレクタ２上には四重極部３が設けられている。四重極部３は、周方向に所定間隔で配置された上下方向に延びる４本（図中では２本を示す）の円柱状の電極３１から構成されている。相対する電極３１は電気的に接続され、相対する電極３１が、支持体１に立設した２本の接続端子３２ａ、３２ｂに配線接続されている。四重極部３上にはイオン源４が設けられ、イオン源４はフィラメント４１とグリッド４３とを備える。グリッド４３は、金属細線を格子状でかつ円筒形状に組み付けて構成され、支持体１に立設した接続端子４２ａに配線接続されている。フィラメント４１は、図示省略の支持フレームに周方向に所定間隔で吊設した３本の金属製の支持ピン４４ａ〜４４ｃと、中央の支持ピン４４ａと両側の支持ピン４４ｂ、４４ｃとの間に夫々接続された２本のフィラメント片４１ａ、４１ｂとを備え、全体としてグリッド４３の外周の半分程度を囲うようになっている。この場合、中央の支持ピン４４ａがフィラメントコモンとなり、この支持ピン４４ａが支持体１に立設した接続端子４５ｂに配線接続されていると共に、両側の支持ピン４４ｂ、４４ｃが、支持体１に立設した接続端子４５ａに配線接続されている。
【００１６】
イオン源４と四重極部３との間には、四重極部３へ向かうイオンを効率よく収束させるフォーカス電極５が介設されている。フォーカス電極５は、中央開口を備えた金属板から構成され、支持ピン４４ａとフォーカス電極５とを配線Ｗにより接続してフィラメント４１の電位とフォーカス電極５の電位とを同等としている。イオン源４の上方には、グリッド４３を挟んで第１イオンコレクタ２に対向配置されるように、板状の第２イオンコレクタ６が設けられている。第２イオンコレクタ６は支持体１に上下貫通して設けた接続端子６１に接続されている。
【００１７】
他方、制御ユニットＣは筐体Ｆ（図１中、一点鎖線で示す）を備え、筐体Ｆにはコンピュータ、メモリやシーケンサ等を備えた制御部Ｃ１が内蔵されている。制御部Ｃ１は、後述の各電源の作動、図示省略の電源回路中のスイッチング素子の切替、後述のフローチャートを実行することによる感度低下の判定、後述する感度低下の報知等を統括制御する。このため、制御部Ｃ１は、特許請求の範囲における判定手段に相当する。また、筐体Ｆ内には、フィラメント４１に直流電流を通電してフィラメント４１を点灯するフィラメント点灯用の電源Ｅ１と、グリッド４３に対してフィラメント４１より高い電位を与えるグリッド用の電源Ｅ２とが内蔵されている。電源Ｅ１からのプラス側の出力は、両側の支持ピン４４ｂ、４４ｃに導通する接続端子４５ａに接続され、また、電源Ｅ２からのプラス側の出力がグリッド用の接続端子４２ａに接続され、そのマイナス側がアース接地されている。
【００１８】
筐体Ｆ内には、電気的に結合された電極３１、３１にそれぞれ直流電圧と高周波電圧とを印加するＤＣ＋ＲＦ電源Ｅ３が内蔵され、ＤＣ＋ＲＦ電源Ｅ３の出力は、電極３１、３１にそれぞれ接続されている。また、筐体Ｆ内には、フィラメント４１とグリッド４３との間に所定の電位差を作るためにフィラメント４１に電位を与える電源Ｅ４が内蔵され、電源Ｅ４からのプラス側の出力が、電源Ｅ２からのプラス側の出力に接続され、電源Ｅ４からのマイナス側の出力は、電源Ｅ１からのマイナス側の出力に接続されている。この場合、このマイナス側の出力には、フィラメントコモンたる支持ピン４４ａに導通する接続端子４５ｂからの配線が接続されている。また、筐体Ｆ内には、第１イオンコレクタ２に接続されて当該第１イオンコレクタ２を流れる第１イオン電流値を測定する電流計２２と、第２イオンコレクタ６に接続されて当該第２イオンコレクタ６を流れる第２イオン電流値を測定する電流計６２が付設されている。以下に、上記四重極型質量分析計ＭＡの使用例につき、図示省略する試験体を成膜処理が行われる真空チャンバとし、真空チャンバ内に残留するガス成分を分析する場合を例に説明する。
【００１９】
真空チャンバの所定位置にセンサ部Ｓを装着した後、真空チャンバを真空排気する。真空チャンバが所定圧力まで真空排気されると、四重極型質量分析計ＭＡによるガス分圧及び全圧の測定が開始される。電源Ｅ１によりフィラメント４１に通電し、フィラメント４１から熱電子を放出させる。そして、電源Ｅ２によりグリッド４３に正電圧を印加し、放出された熱電子を引き込む。このとき、熱電子と衝突したフィラメント周辺の気体原子、分子からガスイオンが生じる。ガスイオンは、グリッド４３と四重極部３との電位差に相当する加速電圧で加速されながら、フォーカス電極５により収束され、四重極部３へと引き込まれる。そして、電源Ｅ３により四重極部３の電極３１、３１に直流と交流とが重畳した所定電圧を印加していくと、ガスイオンがその質量電荷比ごとに第１イオンコレクタ２へと到達し、第１イオンコレクタ２を流れる第１イオン電流値が電流計２２により測定される。他方、イオン源４で生じたガスイオンの一部が第２イオンコレクタ６へと到達し、第２イオンコレクタ６を流れる第２イオン電流値が電流計６２により測定される。これら第１イオン電流値及び第２イオン電流値は制御部Ｃ１に入力され、制御部Ｃ１により、第１イオン電流値から試験体内の所定質量数のガス分圧が、第２イオン電流値から全圧が夫々算出される。
【００２０】
ところで、上記四重極型質量分析計ＭＡを用いて試験体内に残留するガス成分の分析を行っていると、試験体内の分子や原子がグリッド４３に付着して汚染され、この汚染に起因して感度が低下していく。このため、感度低下を可及的速やかに判定することで、常時ガス成分の分析を精度よく行うことができるように上記四重極型質量分析計ＭＡを構成しておく必要がある。なお、感度が低下しているような場合には、例えば、イオン源４の交換やクリーニング等が行われるが、これについては公知の方法が適用できるため、ここでは詳細な説明は省略する。
【００２１】
ここで、本願発明者らの実験によれば、グリッド４３が汚染されてきたときのＨ２、Ｈ２Ｏ、Ｏ２、Ａｒ、ＣＯ２、Ｎ２＋ＣＯといった特定のガスイオンの第１イオン電流値と、第２イオン電流値の変化を測定してみると、図２に示すように、第１イオン電流値よりも第２イオン電流値の方がより早く小さくなる。これは、第１イオンコレクタ２のガスイオンの入射面積が、第２イオンコレクタ６の入射面積に比べて小さいことで、グリッド４３の汚染に伴いイオン源４におけるガスイオンの発生場所が変わると、第１イオンコレクタ２に到達するイオンの量が、第２イオンコレクタ６に到達するイオンの量よりも先に少なくなることに起因すると考えられる。
【００２２】
そこで、本実施形態では、ガス成分の分析に影響のない所定範囲内の感度を基準感度とし、第２イオン電流値に対する第１イオン電流値の比を求め、この比が基準感度を基に設定される判定値と同等以下になると、感度低下と判定するようにした。この場合、基準感度は、四重極型質量分析計ＭＡに応じて任意に設定され、また、判定値は、例えば基準感度に、実験的または経験的に求めた係数を乗じたものが用いられる。更に、感度低下を判定するための判定手段は制御部Ｃ１にプログラムとして組み込まれ、一定の周期でまたは任意に設定される周期で感度低下の判定を実行するようになっている。以下に、図３を参照して、判定手段としての制御部Ｃ１による感度低下の判定手順を具体的に説明する。
【００２３】
試験体内のガス分圧及び全圧が測定されている間で感度低下の判定が開始されると、ＳＴＥＰ１に進んで、感度低下の判定対象となる所定質量数のガスイオンが選択される。判定対象は、例えば第１イオン電流値が最大となるものが自動的に選択されるようになっているが、制御部Ｃ１に対して、真空チャンバ内で行われている処理に応じて、Ｈ２、Ｈ２Ｏ、Ｏ２、Ａｒ、ＣＯ２、Ｎ２＋ＣＯといった特定のガスイオンを適宜選択して設定できるようにしてもよい。
【００２４】
判定対象のガスイオンが選択されると、ＳＴＥＰ２に進んで、試験体内の全圧が所定圧力（例えば、１×１０−５Ｐａ）以上であるか否かを判別し、全圧が所定圧力より低い場合は、ＳＴＥＰ３に進み、感度低下判定を終了する。これは、全圧が所定圧力よりも低いと、通常は第１イオンコレクタ２を流れる第１イオン電流値が低くなり、これでは感度低下を精度良く判定できない虞があるためである。このような場合に、制御部Ｃ１は、液晶ディスプレイやスピーカー等の図外の報知手段を介して感度低下を判定できない旨を報知するようにしてもよい。この報知を受けると、イオン源４の交換やクリーニングを実施することになる。
【００２５】
他方、試験体内の全圧が所定圧力以上になった場合は、ＳＴＥＰ４に進んで、ガス分圧及び全圧の測定開始から所定の待機時間ｔが経過したか否かを判別し、待機時間ｔが経過すると、ＳＴＥＰ５に進んで、第１イオン電流値Ｉ１と第２イオン電流値Ｉ２との測定データが取得される。この場合、制御部Ｃ１は、例えば、単位時間当たりの第１及び第２の両イオン電流値の平均値を夫々求め、これを測定データとしての第１イオン電流値Ｉ１、第２イオン電流値Ｉ２として取得するようにしている。なお、感度低下をより精度良く判定するために、所定の待機時間をおいて上記測定データを更に複数回取得し、これら複数回取得した測定データの平均値を求め、この求めたものを測定データとしての第１イオン電流値Ｉ１と第２イオン電流値Ｉ２として用いるようにしてもよい。
【００２６】
上記ＳＴＥＰ５で測定データが取得されると、ＳＴＥＰ６に進んで、第２イオン電流値Ｉ２に対する第１イオン電流値Ｉ１の比（Ｉ１／Ｉ２）が求められ、更に、ＳＴＥＰ７に進んで、比（Ｉ１／Ｉ２）が判定値よりも大きいか否かを判別する。この場合の判定値は、感度低下を判定するために任意に設定されるものであり、例えば、ガス分析に影響のない所定範囲内の感度を基準感度とし、この基準感度に、実験的または経験的に求めた係数を乗じた値（例えば、基準感度の１／１０）が制御部Ｃ１に予め設定されている。そして、比（Ｉ１／Ｉ２）が判定値より大きい場合は、ＳＴＥＰ８に進んで、感度が正常であるとして感度低下の判定を終了させる。一方で、比（Ｉ１／Ｉ２）が判定値と同等以下である場合には、ＳＴＥＰ９に進んで、感度が低下したと判定され、上記ＳＴＥＰ３と同様にしてこれが報知される。このような場合、例えば、イオン源４が汚染されているので、これの交換やクリーニングを行う必要がある。
【００２７】
上記実施形態によれば、四重極型質量分析計ＭＡを用いて試験体内の所定質量数のガス分圧や全圧を測定するために常時測定している第１イオン電流値と第２イオン電流値との変化から感度低下を判定できるため、試験体内で行われている真空処理を一旦中断する必要はなく、しかも、上記従来例で使用されていた校正ガス設備等を必要とせずに、感度低下を可及的速やかに判定できる。
【００２８】
以上、本発明の実施形態について説明したが、本発明は上記のものに限定されるものではなく、本発明の技術思想の範囲を逸脱しない範囲で適宜変形することができる。上記実施形態では、第２イオン電流値に対する第１イオン電流値の比（Ｉ１／Ｉ２）を判定値と比較しているが、第２イオン電流値から算出した試験体内の全圧（ＴＰ）に対する第１イオン電流値の比（Ｉ１／ＴＰ）を判定値と比較することで、感度低下を判定してもよい。
【００２９】
上記実施形態では、感度低下を判定するための第１イオン電流値として、第１イオン電流値が最大となるものを選択したが、試験体内のガス成分が分かっている場合には、判定対象となるガスイオンを判定開始前に予め設定し、その第１イオン電流値の測定データを取得するようにしてもよい。また、第１イオン電流値として、四重極部３を通過させた所定質量数のガスイオンの総和を用いれば、判定時の試験体内の真空雰囲気がその全圧と分圧とが同等であるような場合でも、正確に判定でき、有利である。
【００３０】
また、上記実施形態では、第２イオンコレクタ６をイオン源４の上方に設けたものを説明したが、これに限定されるものではない。例えば、支持体上に全圧測定用の第２イオンコレクタを設け、その上方にイオン源、更にその上方に四重極部を設け、イオン源を挟んで第２イオンコレクタに対向配置されるように、分圧測定用の第１イオンコレクタを設けてもよい。
【符号の説明】
【００３１】
ＭＡ…四重極型質量分析計、２…第１イオンコレクタ、３…四重極部、３１…電極、４…イオン源、４１…フィラメント、４３…グリッド、６…第２イオンコレクタ、Ｃ１…制御部（判定手段）。
【図１】
2019032964.tif 000003
【図２】
2019032964.tif 000004
【図３】
2019032964.tif 000005